【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
複数種類の図柄を変動させて図柄組み合わせゲームを第１の表示部で行い、大当りの図柄組み合わせが導出された場合に大当り遊技状態を付与する大当り付与手段と、
前記図柄組み合わせゲームにて大当りの図柄組み合わせが導出される可能性を高くする特典を付与するか否かを判定する特典付与判定手段と、
前記特典付与判定手段にて特典を付与すると判定された場合に特典の付与を行う特典付与手段と、
前記特典付与判定手段にて特典を付与しないと判定された場合に、その特典ほど有利ではない小特典を付与する小特典付与手段と、
大当り判定時から大当り遊技状態終了時までの期間である報知期間内に、遊技者に特典の付与に対する期待を持たせる第１の報知演出、特典が付与されない旨を報知する第２の報知演出、及び、特典が付与される旨を報知する第３の報知演出を実行しうる特典報知手段と
を備え、
前記第１の報知演出、前記第２の報知演出及び前記第３の報知演出を、前記第１の表示部で実行可能とするとともに、特典を付与する契機となる大当り、または、特典を付与する契機とはならない大当りであることを示す前記大当り判定の結果を、第２の表示部に表示し、
前記第２の表示部は、前記第１の表示部よりも小さいために、遊技者が認識しにくいものであり、
前記第３の報知演出は、前記図柄組み合わせゲームの結果が導出される時点で実行される演出、または、前記大当り遊技状態中に実行される演出であり、
前記第２の表示部に表示される前記大当り判定の結果は、前記図柄組み合わせゲームの結果が導出される時点で実行される演出であり、
特定図柄の図柄組み合わせで確定停止する演出が実行される場合には、前記複数種類の図柄が確定停止した時点で前記第３の報知演出が実行され、
前記複数種類の図柄が特典の付与が確定しない前記特定図柄とは別の非特定図柄の図柄組み合わせで確定停止する演出が実行される場合であって、特典が付与されるときには、前記大当り遊技状態中に前記第３の報知演出が実行され、
前記複数種類の図柄が前記非特定図柄の図柄組み合わせで確定停止する演出が実行される場合であって、特典が付与されうるときには、前記大当り遊技状態中に前記第１の報知演出または前記第２の報知演出が実行され、
前記第２の報知演出は、前記小特典付与手段によって小特典を付与する場合に実行され、前記第３の報知演出は、前記特典付与手段によって特典を付与しかつ前記小特典付与手段によって小特典を付与しない場合に実行される一方、前記第１の報知演出は、前記小特典付与手段によって小特典を付与するか否かに関係なく実行される
ことを特徴とする遊技機。
【請求項２】
複数種類の図柄を変動させて図柄組み合わせゲームを第１の表示部で行い、大当りの図柄組み合わせが導出された場合に大当り遊技状態を付与する大当り付与手段と、
前記図柄組み合わせゲームにて大当りの図柄組み合わせが導出される可能性を高くする特典を付与するか否かを判定する特典付与判定手段と、
前記特典付与判定手段にて特典を付与すると判定された場合に特典の付与を行う特典付与手段と、
前記特典付与判定手段にて特典を付与しないと判定された場合に、その特典ほど有利ではない小特典を付与する小特典付与手段と、
大当り判定時から大当り遊技状態終了時までの期間である報知期間内に、遊技者に特典の付与に対する期待を持たせる第１の報知演出、特典が付与されない旨を報知する第２の報知演出、及び、特典が付与される旨を報知する第３の報知演出を実行しうる特典報知手段と
を備え、
前記第１の報知演出及び前記第３の報知演出を、前記第１の表示部で実行可能とするとともに、特典を付与する契機となる大当り、または、特典を付与する契機とはならない大当りであることを示す前記大当り判定の結果を、第２の表示部に表示し、
前記第２の表示部は、前記第１の表示部よりも小さいために、遊技者が認識しにくいものであり、
前記第３の報知演出は、前記図柄組み合わせゲームの結果が導出される時点で実行される演出、または、前記大当り遊技状態中に実行される演出であり、
前記第２の表示部に表示される前記大当り判定の結果は、前記図柄組み合わせゲームの結果が導出される時点で実行される演出であり、
特定図柄の図柄組み合わせで確定停止する演出が実行される場合には、前記複数種類の図柄が確定停止した時点で前記第３の報知演出が実行され、
前記複数種類の図柄が特典の付与が確定しない前記特定図柄とは別の非特定図柄の図柄組み合わせで確定停止する演出が実行される場合であって、特典が付与されるときには、前記大当り遊技状態中に前記第３の報知演出が実行され、
前記複数種類の図柄が前記非特定図柄の図柄組み合わせで確定停止する演出が実行される場合であって、特典が付与されうるときには、前記大当り遊技状態中に前記第１の報知演出が実行され、
前記第２の報知演出は、前記小特典付与手段によって小特典を付与する場合に実行され、前記第３の報知演出は、前記特典付与手段によって特典を付与しかつ前記小特典付与手段によって小特典を付与しない場合に実行される一方、前記第１の報知演出は、前記小特典付与手段によって小特典を付与するか否かに関係なく実行される
ことを特徴とする遊技機。
【請求項３】
特典を付与しないと判定された場合に、前記第１の報知演出、及び、前記第２の報知演出の少なくとも一方を前記報知期間中に実行しうる状態に前記特典報知手段を設定する設定手段と、
前記設定手段の設定状態に基づいて、前記特典報知手段によって前記第１の報知演出及び前記第２の報知演出の少なくとも一方の実行を決定する特典報知内容決定手段と
を備えたことを特徴とする請求項１または２に記載の遊技機。
【請求項４】
前記報知期間は、大当りの図柄組み合わせが導出されるまでの前半期間と、前記大当り遊技状態となる後半期間とから構成され、
前記特典報知手段は、前記前半期間中及び前記後半期間中の少なくとも一方の期間中に、前記第１の報知演出、前記第２の報知演出及び前記第３の報知演出を実行可能である
ことを特徴とする請求項１乃至３のいずれか１項に記載の遊技機。
【請求項５】
前記特典報知手段により前記第１の報知演出が実行された場合に、操作されることで強制的に特典が付与されている旨、または、特典が付与されていない旨を前記特典報知手段に報知させる強制報知操作手段を備え、
オン位置に操作された場合に前記遊技機への電源供給が開始され、オフ位置に操作された場合に前記遊技機への電源供給が遮断される電源スイッチが、前記強制報知操作手段としての機能を兼ねており、
前記電源スイッチを前記オフ位置に操作した後、前記オン位置に操作することにより、前記特典報知手段は、特典が付与されている旨、または、特典が付与されていない旨を報知する
ことを特徴とする請求項１乃至４のいずれか１項に記載の遊技機。
【手続補正２】
【補正対象書類名】明細書
【補正対象項目名】０００９
【補正方法】変更
【補正の内容】
【０００９】
上記課題を解決するために、請求項１に記載の発明は、複数種類の図柄を変動させて図柄組み合わせゲームを第１の表示部で行い、大当りの図柄組み合わせが導出された場合に大当り遊技状態を付与する大当り付与手段と、前記図柄組み合わせゲームにて大当りの図柄組み合わせが導出される可能性を高くする特典を付与するか否かを判定する特典付与判定手段と、前記特典付与判定手段にて特典を付与すると判定された場合に特典の付与を行う特典付与手段と、前記特典付与判定手段にて特典を付与しないと判定された場合に、その特典ほど有利ではない小特典を付与する小特典付与手段と、大当り判定時から大当り遊技状態終了時までの期間である報知期間内に、遊技者に特典の付与に対する期待を持たせる第１の報知演出、特典が付与されない旨を報知する第２の報知演出、及び、特典が付与される旨を報知する第３の報知演出を実行しうる特典報知手段とを備え、前記第１の報知演出、前記第２の報知演出及び前記第３の報知演出を、前記第１の表示部で実行可能とするとともに、特典を付与する契機となる大当り、または、特典を付与する契機とはならない大当りであることを示す前記大当り判定の結果を、第２の表示部に表示し、前記第２の表示部は、前記第１の表示部よりも小さいために、遊技者が認識しにくいものであり、前記第３の報知演出は、前記図柄組み合わせゲームの結果が導出される時点で実行される演出、または、前記大当り遊技状態中に実行される演出であり、前記第２の表示部に表示される前記大当り判定の結果は、前記図柄組み合わせゲームの結果が導出される時点で実行される演出であり、特定図柄の図柄組み合わせで確定停止する演出が実行される場合には、前記複数種類の図柄が確定停止した時点で前記第３の報知演出が実行され、前記複数種類の図柄が特典の付与が確定しない前記特定図柄とは別の非特定図柄の図柄組み合わせで確定停止する演出が実行される場合であって、特典が付与されるときには、前記大当り遊技状態中に前記第３の報知演出が実行され、前記複数種類の図柄が前記非特定図柄の図柄組み合わせで確定停止する演出が実行される場合であって、特典が付与されうるときには、前記大当り遊技状態中に前記第１の報知演出または前記第２の報知演出が実行され、前記第２の報知演出は、前記小特典付与手段によって小特典を付与する場合に実行され、前記第３の報知演出は、前記特典付与手段によって特典を付与しかつ前記小特典付与手段によって小特典を付与しない場合に実行される一方、前記第１の報知演出は、前記小特典付与手段によって小特典を付与するか否かに関係なく実行されることを特徴とする遊技機をその要旨とする。
また上記課題を解決するために、請求項２に記載の発明は、複数種類の図柄を変動させて図柄組み合わせゲームを第１の表示部で行い、大当りの図柄組み合わせが導出された場合に大当り遊技状態を付与する大当り付与手段と、前記図柄組み合わせゲームにて大当りの図柄組み合わせが導出される可能性を高くする特典を付与するか否かを判定する特典付与判定手段と、前記特典付与判定手段にて特典を付与すると判定された場合に特典の付与を行う特典付与手段と、前記特典付与判定手段にて特典を付与しないと判定された場合に、その特典ほど有利ではない小特典を付与する小特典付与手段と、大当り判定時から大当り遊技状態終了時までの期間である報知期間内に、遊技者に特典の付与に対する期待を持たせる第１の報知演出、特典が付与されない旨を報知する第２の報知演出、及び、特典が付与される旨を報知する第３の報知演出を実行しうる特典報知手段とを備え、前記第１の報知演出及び前記第３の報知演出を、前記第１の表示部で実行可能とするとともに、特典を付与する契機となる大当り、または、特典を付与する契機とはならない大当りであることを示す前記大当り判定の結果を、第２の表示部に表示し、前記第２の表示部は、前記第１の表示部よりも小さいために、遊技者が認識しにくいものであり、前記第３の報知演出は、前記図柄組み合わせゲームの結果が導出される時点で実行される演出、または、前記大当り遊技状態中に実行される演出であり、前記第２の表示部に表示される前記大当り判定の結果は、前記図柄組み合わせゲームの結果が導出される時点で実行される演出であり、特定図柄の図柄組み合わせで確定停止する演出が実行される場合には、前記複数種類の図柄が確定停止した時点で前記第３の報知演出が実行され、前記複数種類の図柄が特典の付与が確定しない前記特定図柄とは別の非特定図柄の図柄組み合わせで確定停止する演出が実行される場合であって、特典が付与されるときには、前記大当り遊技状態中に前記第３の報知演出が実行され、前記複数種類の図柄が前記非特定図柄の図柄組み合わせで確定停止する演出が実行される場合であって、特典が付与されうるときには、前記大当り遊技状態中に前記第１の報知演出が実行され、前記第２の報知演出は、前記小特典付与手段によって小特典を付与する場合に実行され、前記第３の報知演出は、前記特典付与手段によって特典を付与しかつ前記小特典付与手段によって小特典を付与しない場合に実行される一方、前記第１の報知演出は、前記小特典付与手段によって小特典を付与するか否かに関係なく実行されることを特徴とする遊技機をその要旨とする。
請求項３に記載の発明は、請求項１または２において、特典を付与しないと判定された場合に、前記第１の報知演出、及び、前記第２の報知演出の少なくとも一方を前記報知期間中に実行しうる状態に前記特典報知手段を設定する設定手段と、前記設定手段の設定状態に基づいて、前記特典報知手段によって前記第１の報知演出及び前記第２の報知演出の少なくとも一方の実行を決定する特典報知内容決定手段とを備えたことをその要旨とする。
【手続補正３】
【補正対象書類名】明細書
【補正対象項目名】００１０
【補正方法】変更
【補正の内容】
【００１０】
従って、請求項３に記載の発明によると、遊技者の好みや遊技店の営業形態に応じて設定手段の設定を行うと、特典報知内容決定手段は、設定手段の設定状態に基づいて、遊技者に特典の付与に対する期待を持たせる第１の報知演出、及び、特典が付与されない旨を報知する第２の報知演出の少なくとも一方の実行を決定する。これにより、第２の報知演出が報知期間中に実行される場合と、実行されない場合とが生じるため、設定手段の設定状態に応じて特典が付与されない旨を報知するタイミングが異なるようになる。ゆえに、遊技者の好みや遊技店の営業形態を反映したタイミングで、特典の付与に関する報知を適切に実行することができる。
【手続補正４】
【補正対象書類名】明細書
【補正対象項目名】００２０
【補正方法】変更
【補正の内容】
【００２０】
なお、前記特典報知手段は、前記第１の報知演出及び前記第２の報知演出の両方を実行しうる状態、第１の報知演出を実行しうるものの第２の報知演出は実行されない状態、第２の報知演出を実行しうるものの第１の報知演出は実行されない状態のいずれかに設定される。
請求項４に記載の発明は、請求項１乃至３のいずれか１項において、前記報知期間は、大当りの図柄組み合わせが導出されるまでの前半期間と、前記大当り遊技状態となる後半期間とから構成され、前記特典報知手段は、前記前半期間中及び前記後半期間中の少なくとも一方の期間中に、前記第１の報知演出、前記第２の報知演出及び前記第３の報知演出を実行可能であることをその要旨とする。
【手続補正５】
【補正対象書類名】明細書
【補正対象項目名】００２１
【補正方法】変更
【補正の内容】
【００２１】
なお、前記報知期間は、大当り判定時から大当り遊技状態終了時までの期間であり、大当りの図柄組み合わせが導出されるまでの前半期間と、前記大当り遊技状態となる後半期間とから構成され、前記設定手段は、前記前半期間中及び前記後半期間中の少なくとも一方の期間中に前記第２の報知演出を実行しうる状態に設定することが好ましい。
【手続補正６】
【補正対象書類名】明細書
【補正対象項目名】００２３
【補正方法】変更
【補正の内容】
【００２３】
そこで、報知期間を前半期間及び後半期間から構成するとともに、設定手段が、第１の報知演出及び第２の報知演出の少なくとも一方を実行しうる状態に設定するのに加え、前半期間中及び後半期間中の少なくとも一方の期間中に第２の報知演出を実行しうる状態に設定するようにすれば、設定手段の設定状態に応じて、特典が付与されない旨を報知するタイミングをより細かく設定することができる。ゆえに、遊技者の好みや遊技店の営業形態をより的確に反映したタイミングで、特典の付与に関する報知を行うことができる。
【手続補正７】
【補正対象書類名】明細書
【補正対象項目名】００２４
【補正方法】変更
【補正の内容】
【００２４】
また、前記特典報知内容決定手段は、電源投入後最初の図柄組み合わせゲームが行われる時点での前記設定手段の設定状態に基づいて、前記特典報知手段によって前記第１の報知演出及び前記第２の報知演出の少なくとも一方の実行を決定することが好ましい。
【手続補正８】
【補正対象書類名】明細書
【補正対象項目名】００２５
【補正方法】変更
【補正の内容】
【００２５】
このようにした場合、特典報知内容決定手段による判定は、電源投入後最初の図柄組み合わせゲームが行われる時点での設定手段の設定状態に基づいて行われ、それ以降の遊技中での設定手段の設定状態に基づいて行われる訳ではない。よって、特典が付与されない旨を報知するタイミングが遊技中に突然変更されることに起因した遊技者の混乱や、遊技店と遊技者との間でのトラブルを防止できる。
【手続補正９】
【補正対象書類名】明細書
【補正対象項目名】００２６
【補正方法】変更
【補正の内容】
【００２６】
請求項５に記載の発明は、請求項１乃至４のいずれか１項において、前記特典報知手段により前記第１の報知演出が実行された場合に、操作されることで強制的に特典が付与されている旨、または、特典が付与されていない旨を前記特典報知手段に報知させる強制報知操作手段を備え、オン位置に操作された場合に前記遊技機への電源供給が開始され、オフ位置に操作された場合に前記遊技機への電源供給が遮断される電源スイッチが、前記強制報知操作手段としての機能を兼ねており、前記電源スイッチを前記オフ位置に操作した後、前記オン位置に操作することにより、前記特典報知手段は、特典が付与されている旨、または、特典が付与されていない旨を報知することをその要旨とする。
【手続補正１０】
【補正対象書類名】明細書
【補正対象項目名】００２７
【補正方法】変更
【補正の内容】
【００２７】
確率変動などの特典が付与されているのにもかかわらず、閉店などによって遊技を続けられなくなった場合、遊技店側から補償が行われることがある。しかし、特典が付与されない旨が報知されていない場合には、補償を行うべきか否かの判断ができない。そこで、請求項５に記載の発明によれば、強制報知操作手段を操作して、強制的に特典が付与されている旨、または、特典が付与されていない旨を報知させるようにしている。これにより、補償を行うべきか否かを正確に判断できるため、遊技者と遊技店との信頼関係を保つことが可能となる。
【手続補正１１】
【補正対象書類名】明細書
【補正対象項目名】００２９
【補正方法】変更
【補正の内容】
【００２９】
なお、前記特典付与判定手段にて特典を付与しないと判定された場合であって、前記特典報知手段により前記第２の報知演出が実行される前であるときに、操作されることで強制的に前記第２の報知演出を実行させる報知演出強制実行操作手段を備えることが好ましい。
【手続補正１２】
【補正対象書類名】明細書
【補正対象項目名】００３０
【補正方法】変更
【補正の内容】
【００３０】
このようにした場合、第２の報知演出が実行される前の状態で報知演出強制実行操作手段を操作したときに、特典を付与しないことが決定されていれば、強制的に第２の報知演出を実行させるようにしている。これにより、任意のタイミングで特典が付与されない旨を知ることが可能となる。
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】変更
【補正の内容】
【００３３】
なお、請求項１，２に記載の発明によると、特典を付与しないと判定された場合に、小特典付与手段によって小特典が付与されるため、特典が付与されないことで遊技者が落胆したとしても、小特典が遊技者にとって多少慰めとなる。ゆえに、遊技者の遊技継続に対するモチベーションを何とか維持することができる。
【手続補正１５】
【補正対象書類名】明細書
【補正対象項目名】００３５
【補正方法】変更
【補正の内容】
【００３５】
以上詳述したように、請求項１〜５に記載の発明によれば、遊技者の好みや遊技店の営業形態を反映させることにより、特典の付与に関する報知を適切に行うことができる。
【手続補正１６】
【補正対象書類名】明細書
【補正対象項目名】００３６
【補正方法】削除
【補正の内容】